(57)【要約】【課題】機能部品同士の干渉回避や実装高さの抑制、電子機器の薄型化を図るとともに、機能部品の支持強度を向上させる。【解決手段】電子機器（２、情報処理装置５０）は、機能部品（４、６、タッチパッドユニット６４、バッテリユニット９４）を内部に収納するケース（８、フロントカバー７０、リアカバー６８）と、支持部品（１０、９２）とを備える。支持部品は、ケースに収納される第１の機能部品（４、タッチパッドユニット６４）を支持する一面側（載置面１８）に対し、その背面側（載置面１２、１００）に第２の機能部品（６、バッテリユニット９４）に形成された固定部（突起部１４、突起片９６）と係合する係合部（フック１６、１０８）が形成され、第１の機能部品と積層状態で第２の機能部品を支持する。そして、支持部品は、第１の機能部品と第２の機能部品の積層部分よりも外周側に突出部（２２、１１０）が形成され、突出部がケースに固定される。【選択図】    図１
2015133086.tif 000002
【特許請求の範囲】
【請求項１】
機能部品を内部に収納するケースと、
前記ケースに収納される第１の機能部品を支持する一面側に対し、その背面側に第２の機能部品に形成された固定部と係合する係合部が形成され、該第１の機能部品と積層状態で該第２の機能部品を支持する支持部品と、
を備え、前記支持部品は、前記第１の機能部品と前記第２の機能部品の積層部分よりも外周側に突出部が形成され、該突出部が前記ケースに固定されることを特徴とする電子機器。
【請求項２】
前記支持部品は、前記第２の機能部品の外装側に突出して形成された前記固定部に対し、前記第２の機能部品を載置面に対して平行方向に係合させるように前記係合部が形成されることを特徴とする請求項１に記載の電子機器。
【請求項３】
前記支持部品は、前記第１の機能部品と積層しない部分に前記係合部が形成されることを特徴とする請求項１または請求項２に記載の電子機器。
【請求項４】
前記突出部は、周縁に配置された他の機能部品に対して高さ方向に回避する段差部が形成されることを特徴とする請求項１ないし請求項３のいずれか１項に記載の電子機器。
【請求項５】
前記支持部品は、前記係合部が前記第２の機能部品を接続させる端子部品の挿入方向に対向して形成されることを特徴とする請求項１ないし請求項４のいずれか１項に記載の電子機器。
【発明の詳細な説明】
【技術分野】
【０００１】
本開示の技術は、機能部品を支持する支持部品を備えた電子機器に関する。
【背景技術】
【０００２】
電子機器のケース内に収納される機能部品は、たとえばケースに対して直接固定されるほか、支持部品を介在させて固定されるものがある。支持部品は、たとえば支持対象である機能部品の位置固定など、収納状態の安定化を図るために用いられる。電子機器は、機能部品の設置にネジなどの固定部品を利用するものや、機能部品の一部をケースや支持部品に係合させて支持させるものがある。
【０００３】
このような電子機器に対する機能部品の設置に関し、たとえば筐体に付勢されたバネにより筐体にバッテリが固定されるとともに、このバッテリと係合してロック状態を維持し、または解除させるフックを備えるものが知られている（例えば、特許文献１）。シールド部材のフランジ部の突出部分を取付板金の鉤型の係止部の下方側から挿入させることで突出部分が係止部に係止されるものが知られている（例えば、特許文献２）。また、バッテリユニットの外装筐体の周縁側にフランジが形成され、このフランジを電子機器の筐体の溝内に挿入して設置されるものが知られている（例えば、特許文献３）。
【先行技術文献】
【特許文献】
【０００４】
【特許文献１】特開２０００−２１３７４号公報
【特許文献２】特開２００８−２３５６４８号公報
【特許文献３】特開平１０−２４３０６６号公報
【発明の概要】
【発明が解決しようとする課題】
【０００５】
ところで、電子機器は、薄型化や小型化によりケース内部に対する機能部品の収納エリアが減少するとともに、多機能化による部品数の増加により収納スペースが狭小化しており、内蔵される機能部品の小型化や収納状態のコンパクト化が要求されている。
【０００６】
携帯電話機やノート型ＰＣ（Personal Computer）などの電子機器は、たとえばケース内に搭載される機能部品として、外出時や移動中に使用するためバッテリ（Battery）が内蔵されている。多機能化した電子機器は、電力の消費量が増加するとともに、長時間の動作が要求されていることから、搭載するバッテリの容量を大きくする必要がある。しかしバッテリは、たとえば内部に収納されるバッテリセルの大きさや数によって容量の多少が決まるが、収納スペースが限られていることから幅方向の投影面積を小型化できない。そのほか電子機器には、たとえば構成部品を機能させるために必要な大きさや対応するメディアなどの大きさなどにより、投影面積を小型化できない機能部品を備える。
【０００７】
これらの機能部品は、収納スペース内において周辺に設置された他の機能部品と近接し、または上下方向に重ねてケース内に収納することになるが、接触による干渉を回避する必要があり、ケースに対して固定部品による固定位置が限られるという課題がある。
【０００８】
また、バッテリなどの大型の機能部品は、外装面に接触して支持する取付金具などを利用するものがあるが、荷重負荷が大きいことからケースに対する支持強度が要求される。しかし、支持部品は、たとえばケースに対する固定位置よりも外側に機能部品からの荷重が作用すると、所謂片持ち梁状態となり、支持強度が十分に得られなくなるおそれがあるという課題がある。
【０００９】
そこで、本開示の技術は、上記課題に鑑み、機能部品同士の干渉を回避するとともに実装高さを抑え、電子機器の薄型化を図ることを第１の目的とする。
【００１０】
また、本開示の技術は、機能部品の支持強度を向上させることを第２の目的とする。
【課題を解決するための手段】
【００１１】
上記目的を達成するため、本開示の構成の一側面は、機能部品を内部に収納するケースと、支持部品とを備える。支持部品は、前記ケースに収納される第１の機能部品を支持する一面側に対し、その背面側に第２の機能部品に形成された固定部と係合する係合部が形成され、該第１の機能部品と積層状態で該第２の機能部品を支持する。そして、前記支持部品は、前記第１の機能部品と前記第２の機能部品の積層部分よりも外周側に突出部が形成され、該突出部が前記ケースに固定される。
【発明の効果】
【００１２】
本開示の技術によれば、次のいずれかの効果が得られる。
【００１３】
(1) 電子機器内における実装高さを抑えることができ、電子機器の薄型化を図ることができる。
【００１４】
(2) 積層した機能部品に対する支持強度を確保することができる。
【図面の簡単な説明】
【００１５】
【図１】第１の実施の形態に係る電子機器の機能部品実装状態例を示す図である。
【図２】機能部品の実装状態を示す分解図である。
【図３】第２の実施の形態に係る電子機器の一例を示す図である。
【図４】電子機器の背面側を示す図である。
【図５】電子機器の内部構成例を示す図である。
【図６】バッテリユニットの形状の一例を示す図である。
【図７】支持部品とタッチパッドユニットを分離した状態例を示す図である。
【図８】電子機器にタッチパッドユニットと支持部品を搭載させた状態例を示す図である。
【図９】電子機器にバッテリユニットを搭載した状態例を示す図である。
【図１０】支持部品にタッチパッドユニットとバッテリユニットを搭載させた状態例を示す図である。
【図１１】図９のＡ−Ａ線断面を示す図である。
【図１２】図９のＢ−Ｂ線断面を示す図である。
【図１３】図９のＣ−Ｃ線断面を示す図である。
【図１４】図９のＤ−Ｄ線断面を示す図である。
【図１５】その他の実施の形態に係る電子機器の内部構成例を示す図である。
【図１６】バッテリユニットの構成例を示す分解図である。
【図１７】支持部品に対し収納ケースを設置した状態例を示す図である。
【発明を実施するための形態】
【００１６】
〔第１の実施形態〕
【００１７】
図１は、第１の実施の形態に係る電子機器について、機能部品の実装状態例を示している。
【００１８】
電子機器２は、本開示の電子機器の一例であり、たとえば図１に示すように電子機器を機能させる多数の機能部品の一部として機能部品４、６がケース８内に収納される。電子機器２は、たとえばＰＣや携帯電話機などの情報処理装置であり、ケース８の内部に機能部品４、６のほか図示しない多数の機能部品を備えている。機能部品４、６は、たとえばケース８内において近接して配置され、ともに支持部品１０に載置されることで一体化して支持される。支持部品１０は、本開示の支持部品の一例である。
【００１９】
支持部品１０は、たとえば両面側に機能部品を載置可能な板状であり、金属材料や樹脂材料で形成されている。この支持部品１０は、たとえばケース８内において電子機器２の設置状態に対して機能部品４、６を水平状態に実装させるように、両面に載置面１２、１８が形成される。載置面１８は、第１の機能部品の一例である機能部品４を接触させて支持する。機能部品４は、たとえば図示しない固定手段や接着手段を介して載置面１８に上面部分を固定されてもよい。載置面１２は、載置面１８の背面側に形成され、ケース８内に形成される収納エリアの内部側に本開示の第２の機能部品の一例である機能部品６を接触させて支持する。これによりケース８の収納領域に対し、機能部品４、６を積層状態で配置してもケース８や図示しない他の機能部品に接触させない。
【００２０】
載置面１２には、機能部品６の一部に形成された固定部の一例である突起部１４に係合させるフック１６が形成されている。このフック１６は本開示の係合部の一例であり、たとえば載置面１２に載置された機能部品６が上方に離間するのを阻止するように突起部１４に係合させる。このフック１６は、積層させる機能部品６の突起部１４の形成位置および形成数に応じて形成される。
【００２１】
載置面１２、１８の幅や長さは、実装される機能部品４、６の幅や長さに応じて設定され、またはケース８内に実装される図示しない他の機能部品に対して接触しない大きさに設定される。
【００２２】
支持部品１０は、機能部品４、６の積層部分よりも外周側に突出部２２が形成される。この突出部２２は、機能部品４、６のいずれも載置させない位置に形成される。また、突出部２２は、先端部分の一部がケース８の一部に載置させる長さや幅に形成される。突出部２２は、たとえば載置させるケース８の高さや、支持部品１０の近傍に配置される図示しない基板や他の実装部品に接触しない高さ、または載置面１２、１８と同等の高さで形成してもよい。
【００２３】
そして突出部２２は、ケース８に対して載置された部分に対し固定部品２４が挿通されてケース８に固定される。そのほか支持部品１０は、たとえば突出部２２を含む周縁部分において、図示しない固定部品によりケース８や近接した他の機能部品などに固定される。これにより支持部品１０は、突出部２２においてケース８に締結されることで、機能部品４、６の積層部分よりも外周側で固定でき、フック１６側の面に対する支持強度を向上させることができる。また、機能部品４、６に対する積層位置から離間して固定部品２４を係合させることで、固定部品２４と機能部品４、６とが積層状態で配置されるのを回避でき、支持部品１０に対する機能部品４、６の積層高さを抑えられる。
【００２４】
図２は、電子機器２に対する機能部品の実装状態の一例を示している。
【００２５】
電子機器２は、たとえばケース８の収納面側に対し、設定された位置に機能部品４が設置される。ケース８には、たとえば機能部品４を嵌合させて、外装の一面側を外部または他の収納エリア側に露出させる開口部２０が形成される。支持部品１０は、載置面１８をケース８側に向け、開口部２０に設置される機能部品４の上面側に接触させる。
【００２６】
支持部品１０は、たとえば載置面１８が形成される部分の周縁側に、載置面１８と高さの異なる複数の切片部３８、３９が形成されている。この切片部３８、３９には、載置面１８の背面側に載置面１２が形成される。切片部３８は、載置面１８と接続された一辺に対して反対側の辺に突出部２２が接続されている。切片部３８は、たとえば載置面１８または突出部２２に対して交差方向に、載置面１８よりも幅広に形成されており、その両端側に固定部品２４によりケース８または他の機能部品などに固定させる支持孔４０が形成される。
【００２７】
切片部３８は、たとえば載置面１８より外側の位置にフック１６が形成される。フック１６は、たとえば切片部３８の両側に形成されており、フック１６間の距離が載置面１８の横幅または機能部品４の横幅よりも大きく設定される。フック１６は、たとえば載置面１２に対して平行に形成されており、機能部品６の突起部１４を載置面１２に対して平行状態で係合させる。またフック１６は、載置面１２を形成する部品側に向けて開口している。フック１６は、突出部２２の突出方向と反対側に開口しており、載置面１２上に載置される機能部品６の設置位置を制限している。すなわち、フック１６は、載置面１２と突出部２２との間で上方に突出することで、機能部品６が突出部２２側に積層されるのを阻止するとともに、載置された機能部品６が突出部２２にスライドするのを阻止する。
【００２８】
切片部３９は、たとえば載置面１８から離間する方向に一定幅で形成され、その先端側に固定部品２４を挿通させる支持孔４０が形成される。
【００２９】
支持部品１０は、支持孔４０を通じて挿通された固定部品２４によりケース８の設置面側に固定される。ケース８には、固定部品２４と締結させるネジ孔を備えたスタッド（Stud）４２が形成される。
【００３０】
なお、支持部品１０を固定する固定部品２４は、たとえばネジ部品のほか、ラッチ部品などを利用してもよく、または接着材や熱により溶着させる部材を利用してもよく、または溶接してもよい。突出部２２は、支持部品１０の一辺側にのみ形成されるものに限られず、載置面１２、１８の外周側に複数形成されてもよい。突出部２２は、周縁に配置される図示しない基板やフレキシブルケーブルなどの機能部品を回避させる形状に形成される。
【００３１】
機能部品６は、たとえば一辺側に突起部１４が形成され、突起部１４が形成された辺以外の辺に固定部品３２に挿通させる支持部３０が形成される。この支持部３０は、挿通させた固定部品３２によって機能部品６を支持させる支持孔を備えている。支持部３０は、機能部品６の側面側であって、機能部品４や支持部品１０との積層部分に固定部品３２が接触しない位置に形成される。支持部３０に挿通された固定部品３２は、たとえばケース８や他の機能部品、基板３４などに形成される孔３６に挿通されて固定される。
【００３２】
斯かる構成によれば、支持部品１０の両面側に複数の機能部品４、６を支持させることで電子機器２内における実装高さを抑えることができ、電子機器２の薄型化を図ることができる。支持部品１０により機能部品４、６を面で支持するとともに、支持部品１０が突出部２２において機能部品４、６の支持部分よりも外周側でケース８に固定されるので、積層した機能部品４、６に対する支持強度を確保することができる。
【００３３】
〔第２の実施の形態〕
【００３４】
図３、図４および図５は、第２の実施の形態に係る電子機器の一例を示している。図３、図４および図５に示す構成は一例であり、本開示の技術が係る構成に限定されない。
【００３５】
情報処理装置５０は、本開示の電子機器の一例であり、たとえば図３に示すように、表示側筐体５２、操作側筐体５４がヒンジ５６を介して開閉可能に連結されている。表示側筐体５２には、たとえば表示モニタ５８に映像や文字などの画像が表示される。表示モニタ５８は、たとえばＬＣＤ（Liquid Crystal Display）表示部などが設置される。また、表示モニタ５８には、たとえばユーザの生体指の接触により入力操作が可能なタッチパネルを備えてもよい。
【００３６】
操作側筐体５４には、たとえばケース内に操作ボタン６０やキーボードユニット６２、タッチパッドユニット６４などが搭載される。タッチパッドユニット６４は、ユーザの指などの接触に応じて表示モニタ５８に表示されるカーソル操作や押下によるクリック操作などを行うことができる機能部品の一例である。そのほか操作側筐体５４には、情報処理装置５０の起動状態や記憶部の読み出し処理や書き出し処理状態などを表示する、図示しない表示ランプなどを備えてもよい。
【００３７】
操作側筐体５４は、たとえば図４に示すように、折り畳まれた表示側筐体５２と対向するフロントカバー７０と情報処理装置５０の底面部分に配置されるリアカバー６８が接合される。接合されたフロントカバー７０およびリアカバー６８は、本開示のケースの一例であり、情報処理装置５０を機能させるコンピュータ構成部品などを収納する収納部を形成する。リアカバー６８には、たとえば放熱用の開口部７２のほか、フロントカバー７０との間で締結される固定部品７６（図５）を設置する開口部などが形成される。そのほか、操作側筐体５４には、側面側にコネクタ部７４のほか、ＯＤＤ（Optical Disk Drive）装置などが設置される。
【００３８】
＜機能部品の実装状態について＞
【００３９】
操作側筐体５４には、たとえば図５に示すように、フロントカバー７０側に多数の機能部品が実装され、または接続されたプリント基板８０、８２やドライブ装置などが収納されている。また操作側筐体５４には、プリント基板８０に形成された開口部８４に対して既述のタッチパッドユニット６４が設置される。このタッチパッドユニット６４は、本開示の第１の機能部品の一例であり、背面側にタッチパッドユニット６４を支持する支持部品９２が配置される。プリント基板８０の開口部８４は、タッチパッドユニット６４の操作面を操作側筐体５４の前面側に露出させるために形成されており、例えばタッチパッドユニット６４の外形形状および大きさに合わせて形成される。また、フロントカバー７０には、開口部８４と同等の大きさの図示しない開口部が形成される。タッチパッドユニット６４は、たとえば開口部８４やフロントカバーの開口部に対して嵌合させて設置されればよい。
【００４０】
支持部品９２は、たとえば金属材料で形成され、タッチパッドユニット６４の背面部分に接触し、一体化して支持する。支持部品９２は、たとえば操作側筐体５４の背面側からネジなどの固定部品３２によりフロントカバー７０に固定される。
【００４１】
＜バッテリユニット９４について＞
【００４２】
操作側筐体５４には、情報処理装置５０の給電手段としてバッテリユニット９４が搭載される。このバッテリユニット９４は、本開示の第２の機能部品の一例であり、タッチパッドユニット６４を支持する支持部品９２の背面側に平面部分の一部または全部を接触させ、一体化して支持される。バッテリユニット９４は、たとえば図６に示すように、内部にバッテリセルが収納され、一定の厚さの樹脂製のケースで形成されている。バッテリユニット９４は、設定される容量に応じて内部のセルの数や大きさが増加する。このバッテリユニット９４は、たとえば操作側筐体５４を薄型化するため、設定容量に応じて幅方向の大きさが設定される。
【００４３】
バッテリユニット９４は、たとえば長辺の一辺側を突出させた凸形状で形成されており、この突出した部分に図示しない端子部品が設置されている。またこの突出側の辺には、バッテリユニット９４の外縁側に固定部品３２を挿通させる支持孔を備えた支持片９８が形成される。この支持片９８は、支持部品９２による支持のほか、周面側に挿通させた固定部品３２によりフロントカバー７０やフロントカバー７０に設置された図示しない他の支持部品などに固定される。バッテリユニット９４の長辺側には、本開示の固定部の一例である突起片９６が形成されている。この突起片９６は、たとえば長辺に対して直交方向に平板部９７を突出させており、その両端側に一定の幅を持たせて対向した立壁部９９が形成されている。平板部９７は、バッテリユニット９４の本体部分の底面部分に平行に突出している。
【００４４】
＜タッチパッドユニット６４と支持部品９２について＞
【００４５】
タッチパッドユニット６４は、たとえば図７に示すようにフロントカバー７０側に向けて配置される面にユーザの指に接触させるセンサパッド１１２が設置されるとともに、セッサパッド１１２の長辺側に、クリック操作を行うクリックボタン１１６が配置される。タッチパッドユニット６４の背面側には、たとえばセンサパッド１１２による検出状態の監視機能やクリックボタン１１６の押下検出機能などを含む基板１１４が設置される。これらの基板１１４には、たとえばケーブル１１８が設置され、図示しないプリント基板８０と電気的に接続される。
【００４６】
支持部品９２は、たとえばタッチパッドユニット６４の背面側に接触する胴体部１０１と、その両端側に高さを異ならせて形成し、バッテリユニット９４を載置させる切片部１０３、１０６を備えている。この切片部１０３、１０６は、同等の高さの平板状に形成され、バッテリユニット９４に対する載置面１００となる。胴体部１０１は、たとえば平板状に形成されるとともに、その平板部分の一部に基板１１４の実装部品との接触を回避するための開口部１０５が形成される。また胴体部１０１は、平板部分の両端側に載置面１００と同等の高さ、またはそれよりも低い立壁部１０２が形成される。胴体部１０１は、たとえば立壁部１０２と切片部１０３、１０６との間にタッチパッドユニット６４の一部を収納する収納部１０４を形成し、載置されたバッテリユニット９４を基板１１４の実装部品に接触させないように形成される。
【００４７】
切片部１０３は、たとえば胴体部１０１側からの幅が、載置されたバッテリユニット９４の外形部分から突出しないように設定されている。切片部１０３は、バッテリユニット９４のコネクタが形成された突出部分またはその近傍を支持するため、載置されるバッテリユニット９４の平板部分によって覆われる大きさで形成してコネクタ部分に接触させないように形成される。
【００４８】
切片部１０６は、たとえば胴体部１０１の長辺よりも幅広であり、両端側を延伸させた翼形状で形成され、翼端側の一部に、載置面１００に対して「コ」字状に立設させたフック１０８が形成される。フック１０８は、たとえば載置面１００に対して平行にスライドさせたバッテリユニット９４の突起片９６を係止させる。そしてフック１０８は、上面部分で突起片９６の平板部９７に接触することで、設置されたバッテリユニット９４が高さ方向に変位するのを阻止する。またフック１０８の立壁部分は、たとえば載置面１００上でバッテリユニット９４が平面方向へスライドした場合でも、平板部９７に接触するとともに、突起片９６を立壁部９９に接触させることで、バッテリユニット９４に対するストッパとして機能する。
【００４９】
支持部品９２には、たとえば切片部１０６の一辺側に、胴体部１０１から離間する方向に向けて突出部１１０が形成される。突出部１１０は、フック１０８の立壁側よりも背面側に形成されており、バッテリユニット９４やタッチパッド６４に対して積層させない位置に形成される。この突出部１１０は、載置面１００よりも外周側において固定部品２４（図５）によりフロントカバー７０などに固定される。突出部１１０は、たとえば三角形状に形成されており、切片部１０６との連結部分の剛性をもたせるとともに、情報処理装置５０内部における面積が小さくなるように形成されている。
【００５０】
＜操作側筐体５４に対する支持部品９２の設置状態について＞
【００５１】
情報処理装置５０には、たとえば図８に示すようにプリント基板８０の開口部８４内にタッチパッドユニット６４が配置され、その背面側から支持部品９２が載置される。支持部品９２は、たとえば切片部１０３、１０６に形成された支持孔を通じて固定部品２４が挿通され、フロントカバー７０や図示しない金属部品に固定される。支持部品９２は、突出部１１０の頂角側で固定部品２４により固定される。これら固定部品２４による固定位置は、たとえば支持部品９２の各辺にそれぞれ設置され、略左右対称に固定される。
【００５２】
支持部品９２の切片部１０３、１０６は、一部がプリント基板８０に対して一定の間隔をもって対向状態に配置されている。また切片部１０６に形成されたフック１０８は、プリント基板８０と対向する位置であって、プリント基板８０と接触させないように離間して形成される。
【００５３】
またフロントカバー７０には、たとえばヒンジ５６側にプリント基板８０と隣接した他のプリント基板８２が収納されており、このプリント基板８２上にバッテリユニット９４と電気的に接続させるコネクタ１２０が実装されている。このプリント基板８２は、たとえばバッテリユニット９４から供給される電力の制御や各機能部品に供給する給電制御部やプロセッサなどを実装している。支持部品９２に形成されるフック１０８は、たとえば「コ」字形状の開口部分が、端子部品の一例であるコネクタ１２０の挿入方向に対して対向するように形成される。これにより、バッテリユニット９４は、コネクタ１２０による接続部分に対して離間した反対側の辺がフック１０８によって支持され、コネクタ１２０に対する重力方向への負荷が軽減される。
【００５４】
フロントカバー７０に実装されたバッテリユニット９４は、たとえば図９に示すように、支持部品９２の胴体部１０１や切片部１０３を覆うとともに、プリント基板８０の一部に重なっている。このときバッテリユニット９４の背面部分は、たとえば支持部品９２の載置面１００に面接触して支持され、プリント基板８０の実装部品に接触しない。
【００５５】
バッテリユニット９４の実装作業では、たとえば支持部品９２上に配置された後にコネクタをプリント基板８２のコネクタ１２０側に接続させる。このとき、バッテリユニット９４は、たとえば長辺側に形成された突起片９６をフック１０８の上部側に載置させてもよい。コネクタ接続されたバッテリユニット９４は、たとえばコネクタ１２０側に向けて押圧し、突起片９６がフック１０８を回避させながら載置面１００側に載置される。そして、突起片９６は、コネクタ１２０側への押圧を解除することで載置面１００をスライドしてフック１０８に係合させてもよい。また、バッテリユニット９４は、フック１０８に載置した状態で支持部品９２側に押圧させ、フック１０８を弾性変形させることで載置面１００側に設置させてもよい。
【００５６】
このように、支持部品９２は、バッテリユニット９４の一辺側についてフック１０８により係合支持させることで、組立て作業の簡略化や固定部品２４を削減することができる。
【００５７】
支持部品９２は、たとえば図１０に示すように胴体部１０１側の一面でタッチパッドユニット６４を支持し、切片部１０３、１０６の一面で反対側にバッテリユニット９４を積層状態で一体化して支持する。このとき、タッチパッドユニット６４とバッテリユニット９４は、立壁部１０２により離間しており、物理的な干渉を回避することができる。また、支持部品９２は、たとえばユーザ操作によりセンサパッド１１２やクリックボタン１１６への押圧に対してバッテリユニット９４のケースにより載置面１００が支持され、支持剛性が得られる。
【００５８】
＜操作側筐体５４内の実装状態について＞
【００５９】
図１１、図１２、図１３、図１４は、操作側筐体内部の実装状態を示す断面図である。
【００６０】
支持部品９２は、たとえば図１１に示すように、バッテリユニット９４から離間した突出部１１０がフロントカバー７０に対して直接固定されることでバッテリユニット９４の荷重による重力（−Ｙ方向）に対して対抗している。これにより支持部品９２は、たとえば突出部１１０の固定により剛性が維持されるので、一端側が変位し、または歪みが生じないので、支持するタッチパッドユニット６４やバッテリユニット９４の実装位置を維持させ、他の機能部品と接触させることがない。
【００６１】
支持部品９２は、突出部１１０の一部を下方側に屈曲させ、突出高さを調整する段差部１３０が形成されている。この段差部１３０は、フロントカバー７０に実装されたプリント基板８０に対して高さ方向への突出を回避させるために形成される。すなわち、支持部品９２の切片部１０６は、フロントカバー７０に対する実装高さをプリント基板８０の実装高さに近づけるとともに、突出部１１０とプリント基板８０とが干渉させないように配置高さを調整している。したがって段差部１３０は、たとえば突出部１１０を固定するフロントカバー７０の位置や近傍に設置される他の機能部品との高低に応じて高さが設定されればよい。
【００６２】
そして支持部品９２は、胴体部１０１においてフロントカバー７０に露出させたタッチパッドユニット６４を支持するとともに、背面側の切片部１０３においてバッテリユニット９４を支持する。
【００６３】
支持部品９２は、図１２に示すように、バッテリユニット９４の一端側に形成された突起片９６の平板部９７に対してフック１０８を係合させることで重力方向（−Ｙ方向）への変位を阻止している。
【００６４】
バッテリユニット９４は、図１３に示すように、突起片９６（図６）が形成された辺に対して反対側の辺において、外装側に形成された支持片９８に挿通された固定部品３２によりプリント基板８２側に固定される。
【００６５】
これにより支持部品９２は、図１４に示すように、フロントカバー７０内の近傍に設置されたプリント基板８０に対してバッテリユニット９４を接触させずに支持するとともに、フロントカバー７０に対する突出部１１０の固定により、支持剛性を維持している。
【００６６】
＜第２の実施の形態の効果＞
【００６７】
(1)  支持部品９２の両面側に積層状態でバッテリユニット９４やタッチパッドユニット６４を支持させることで情報処理装置５０内における実装高さを抑えることができ、情報処理装置５０の薄型化を図ることができる。
【００６８】
(2)   支持部品９２によりバッテリユニット９４やタッチパッドユニット６４が面で支持され、支持機能を高められる。
【００６９】
(3)  支持部品９２が突出部１１０においてバッテリユニット９４やタッチパッドユニット６４の支持部分よりも外周側でフロントカバー７０に固定されることで支持強度を確保し、バッテリユニット９４の荷重などによる撓みや変形を防止する。
【００７０】
(4)  支持部品９２によりバッテリユニット９４やタッチパッドユニット６４の配置高さや設置位置を維持させることで、周囲に配置されるプリント基板８０、８２や他の機能部品との干渉を回避でき、情報処理装置５０の機能安定性を確保して信頼性を高めることができる。
【００７１】
(5)  フック１０８と突起片９６による係合構造により、支持部品９２に対するバッテリユニット９４の位置決め作業の簡易化や固定部品の削減による組立て作業の簡略化が図れる。
【００７２】
以上説明した実施の形態について、変形例を以下に列挙する。
【００７３】
(1)  上記実施の形態では、支持部品９２によって支持される機能部品として、バッテリユニット９４の外装側に支持片９８や突起片９６が形成される場合を示したがこれに限られない。情報処理装置５０は、たとえば図１５に示すように、支持部品９２の載置面１００上にバッテリユニット１４０が支持されている。このバッテリユニット１４０は、たとえば一辺側に形成された支持片９８に固定部品３２が挿入されてプリント基板８２などに固定されるとともに、長辺側に備えた突起片９６によって支持部品９２のフック１０８に係合して支持される。
【００７４】
バッテリユニット１４０は、たとえば図１６に示すように、本開示の電子部品であるバッテリセルやその他の部品が樹脂性の筐体によって覆われたバッテリ部品１４２と、このバッテリ部品１４２を収納する収納ケース１４４が含まれる。バッテリ部品１４２は、たとえば一辺側にコネクタなどが搭載されており、プリント基板８２のコネクタ１２０に接続されて給電する。バッテリ部品１４２は、たとえば情報処理装置５０の専用部品に限られず、他の情報処理装置に搭載されるバッテリ部品であってもよい。
【００７５】
収納ケース１４４は、バッテリ部品１４２を収納して支持する本開示の支持ケースの一例であり、バッテリ部品１４２を載置する載置部の周囲にバッテリ部品１４２の周縁を覆う壁部１４６が立設されている。また収納ケース１４４は、たとえば上面側が開放されており、バッテリ部品１４２の着脱が可能に形成されるほか、壁部１４６の一部にバッテリ部品１４２の図示しないコネクタを配置させる開口部１４８が形成されている。
【００７６】
収納ケース１４４は、たとえば壁部１４６によって形成される収納エリアの形状が挿入されるバッテリ部品１４２の外形形状と同等に形成され、収納エリア内部にバッテリ部品１４２が嵌合される。従って、バッテリ部品１４２が他の形状である場合、収納ケース１４４は、たとえばコネクタを挿通させる開口部１４８の位置を基準に、バッテリ部品１４２に合わせて形成されればよい。
【００７７】
収納ケース１４４は、たとえば開口部１４８が形成された辺に対して反対側の辺の外周側に、平板部９７や立壁部９９を含む突起片９６が形成される。そのほか、収納ケース１４４は、たとえば壁部１４６の内側に、配置されたバッテリ部品１４２に係止してバッテリ部品１４２を支持する爪部品や、壁部１４６を傾斜して立設させてバッテリ部品１４２の側面側を圧接支持するように形成してもよい。
【００７８】
そして収納ケース１４４は、たとえば図１７に示すように、操作側筐体５４内の支持部品９２に対し、底面部分を載置面１００に接触させて支持される。支持部品９２に対する収納ケース１４４の設置手順は、既述のバッテリユニット９４の設置処理と同等に行えばよい。支持部品９２に載置された収納ケース１４４は、開口部１４８にプリント基板８２のコネクタ１２０が配置され、バッテリ部品１４２のコネクタと接続する。
【００７９】
なお、支持部品９２に対するバッテリユニット１４０の設置処理では、たとえば収納ケース１４４とバッテリ部品１４２とを一体化させた後に支持部品９２上に載置させてもよい。または収納ケース１４４のみを載置させ、その収納エリアにバッテリ部品１４２を設置してもよい。また、収納ケース１４２に保持されて支持部品９２に支持される機能部品は、バッテリ部品１４２に限られず、他の電子部品であってもよい。
【００８０】
斯かる構成によれば、支持部品９２による機能部品の固定状態の安定化を図ることができる。また、支持部品９２は、たとえば図示しない機能部品とともに両面側に機能部品を積層して一体化して支持することで、情報処理装置５０の薄型化が図れる。収納ケース１４４は、たとえば情報処理装置５０に搭載するバッテリ部品１４２の形状に応じて形成し、設置することで、利用可能なバッテリ部品１４２を増やすことができ、利便性が高められる。
【００８１】
(2)  上記実施の形態では、支持部品９２の両面側に積層状態で一体化させる機能部品４、６の一例としてバッテリユニット９４やタッチパッドユニット６４を用いる場合を示したがこれに限られない。支持部品９２は、たとえばバッテリユニット９４と他の機能部品とを積層させてもよい。また、支持部品９２は、外装側に突起部１４を形成した他の機能部品をフック１６で係合させてもよい。
【００８２】
(3)  上記実施の形態では、支持部品９２に形成された突出部１１０が三角形状に形成され、フロントカバー７０に対して１箇所で固定させる場合を示したがこれに限られない。突出部１１０は、たとえば四角形やその他の形状などであり、近接した基板や機能部品を回避しつつ、フロントカバー７０と連結可能な位置に突出させる形状で形成されてもよい。また、突出部１１０に対する固定部品２４の設置数は、２以上設定してもよい。支持部品９２は、たとえば中心を基準に左右対称になるよう固定部品２４の設置位置や切片部１０３、１０６、突出部１１０を含む形状が設定されればよい。また、載置された機能部品について左右の荷重バランス、ばらつきに応じて固定部品２４による固定数や位置を調整し、支持強度を確保してもよい。
【００８３】
(4) 上記実施の形態では、支持部品９２の突出部１１０が固定されるケースとして、フロントカバー７０に対して固定部品２４により固定される場合を示したがこれに限られない。突出部１１０は、たとえばリアカバー６８や図示しないフロントカバー７０に設置された金属部品などに固定されてもよい。
【００８４】
次に、以上述べた実施の形態に関し、更に以下の付記を開示する。本開示の技術に係る技術的思想は上位概念から下位概念まで、様々なバリエーションにより把握できるものであり、以下の付記に本開示の技術が限定されるものではない。
【００８５】
（付記１）機能部品を内部に収納するケースと、
前記ケースに収納される第１の機能部品を支持する一面側に対し、その背面側に第２の機能部品に形成された固定部と係合する係合部が形成され、該第１の機能部品と積層状態で該第２の機能部品を支持する支持部品と、
を備え、前記支持部品は、前記第１の機能部品と前記第２の機能部品の積層部分よりも外周側に突出部が形成され、該突出部が前記ケースに固定されることを特徴とする電子機器。
【００８６】
（付記２）前記支持部品は、前記第２の機能部品の外装側に突出して形成された前記固定部に対し、前記第２の機能部品を載置面に対して平行方向に係合させるように前記係合部が形成されることを特徴とする付記１に記載の電子機器。
【００８７】
（付記３）前記支持部品は、前記第１の機能部品と積層しない部分に前記係合部が形成されることを特徴とする付記１または付記２に記載の電子機器。
【００８８】
（付記４）前記突出部は、前記係合部が形成される方向に突出して形成されることを特徴とする付記１ないし付記３のいずれか１つに記載の電子機器。
【００８９】
（付記５）前記第２の機能部品は、外周側に前記固定部とともに支持孔が形成され、該支持片に挿通された固定部品により前記ケースまたは他の機能部品に固定されることを特徴とする請求項１ないし付記４のいずれか１つに記載の電子機器。
【００９０】
（付記６）前記突出部は、周縁に配置された他の機能部品に対して高さ方向に回避する段差部が形成されることを特徴とする付記１ないし付記５のいずれか１つに記載の電子機器。
【００９１】
（付記７）前記支持部品は、前記係合部が前記第２の機能部品を接続させる端子部品の挿入方向に対向して形成されることを特徴とする付記１ないし付記６のいずれか１つに記載の電子機器。
【００９２】
（付記８）第２の機能部品は、内部に電子部品を収納し、外装側に前記固定部が形成された支持ケースを備えることを特徴とする付記１ないし付記７のいずれか１つに記載の電子機器。
【００９３】
以上、本開示の構成の好ましい実施形態等について説明した。しかし、本開示の技術は上記実施の形態の記載に限定されるものではない。特許請求の範囲に記載され、または明細書に開示された技術の要旨に基づき、当業者において様々な変形や変更が可能であることは勿論である。そして斯かる変形や変更が本開示の技術に含まれることは言うまでもない。
【符号の説明】
【００９４】
２  電子機器
４、６  機能部品
８  ケース
１０、９２  支持部品
１２、１８、１００  載置面
１４  突起部
１６、１０８  フック
２０、７２、８４、１０５、１４８  開口部
２２、１１０  突出部
２４、３２  固定部品
３０  支持部
３４、１１４  基板
３６  孔
３８、３９、１０３、１０６  切片部
４０  支持孔
４２  スタッド
５０  情報処理装置
５４  操作側筐体
６４  タッチパッドユニット
６８  リアカバー
７０  フロントカバー
７４  コネクタ部
８０、８２  プリント基板
９４、１４０  バッテリユニット
９６  突起片
９７  平板部
９８  支持片
９９、１０２  立壁部
１０１  胴体部
１０４  収納部
１１２  センサパッド
１１６  クリックボタン
１２０  コネクタ
１３０  段差部
１４２  バッテリ部品
１４４  収納ケース
１４６  壁部
【図１】
2015133086.tif 000003
【図２】
2015133086.tif 000004
【図３】
2015133086.tif 000005
【図４】
2015133086.tif 000006
【図５】
2015133086.tif 000007
【図６】
2015133086.tif 000008
【図７】
2015133086.tif 000009
【図８】
2015133086.tif 000010
【図９】
2015133086.tif 000011
【図１０】
2015133086.tif 000012
【図１１】
2015133086.tif 000013
【図１２】
2015133086.tif 000014
【図１３】
2015133086.tif 000015
【図１４】
2015133086.tif 000016
【図１５】
2015133086.tif 000017
【図１６】
2015133086.tif 000018
【図１７】
2015133086.tif 000019